(57)【要約】【課題】  接続された外部機器がデジタル接続されたときに、外部機器が出力する音声信号の方式を、ユーザーが操作することなく対応可能な所定の音声信号の方式に切り換えることのできる音響装置を提供する。【解決手段】  外部機器を制御する制御信号を出力可能な制御部を備え、複数形式のデジタル信号を出力可能な外部機器からデジタル入力端子を介して、入力されたデジタル信号をアナログ信号に変換する信号変換部を備えた音響装置において、前記制御部は前記外部機器と通信線を介して接続され、前記通信線を介して、前記外部機器に所定形式のデジタル信号を出力させるべく、前記制御信号を出力し、前記信号変換部は前記外部機器から出力されたデジタル信号に基づくアナログ信号を生成し、外部に出力した。【選択図】      図４
2006279215.tif 000002
【特許請求の範囲】
【請求項１】
外部機器を制御する制御信号を出力可能な制御部を備え、複数形式のデジタル信号を出力可能な外部機器からデジタル入力端子を介して、入力されたデジタル信号をアナログ信号に変換する信号変換部を備えた音響装置において、
前記制御部は前記外部機器と通信線を介して接続され、前記通信線を介して、前記外部機器に所定形式のデジタル信号を出力させるべく、前記制御信号を出力し、
前記信号変換部は前記外部機器から出力されたデジタル信号に基づくアナログ信号を生成し、外部に出力することを特徴とする音響装置。
【請求項２】
前記制御部は、前記外部機器から入力される信号の信号形式を判断し、
入力されたデジタル信号が、前記信号変換部が対応しない非対応信号形式であると判断したときに、前記制御部が前記外部機器に対して、前記信号変換部が対応する所定の信号形式のデジタル信号を出力させるべく、前記制御信号を出力することを特徴とする請求項１に記載の音響装置。
【請求項３】
前記制御部は、前記外部機器から信号が入力されてから所定の時間、前記外部機器から入力される信号の信号形式を判断することを特徴とする請求項１又は２に記載の音響装置。
【請求項４】
アナログ入力端子を有し、前記制御部は、前記外部機器からデジタル信号が入力されないときに、前記アナログ入力端子を介したアナログ信号入力に切り換えることを特徴とする請求項１乃至３に記載の音響装置。
【請求項５】
前記所定の信号形式は、ＰＣＭデジタル信号であることを特徴とする請求項１乃至４に記載の音響装置。
【請求項６】
外部機器と通信線を介して接続され、前記外部機器を制御する制御信号を出力可能な制御部を備え、複数形式のデジタル信号を出力可能な外部機器からデジタル入力端子を介して、入力されたデジタル信号をアナログ信号に変換する信号変換部を備えた音響装置を制御する制御方法において、
前記通信線を介して、前記外部機器に所定形式のデジタル信号を出力させる制御信号を出力する過程と、
前記外部機器から出力されたデジタル信号に基づくアナログ信号を生成し、外部に出力する過程と、を備えたことを特徴とする音響装置の制御方法。
【請求項７】
外部機器と通信線を介して接続され、前記外部機器を制御する制御信号を出力可能な制御部を備え、複数形式のデジタル信号を出力可能な外部機器からデジタル入力端子を介して、入力されたデジタル信号をアナログ信号に変換する信号変換部を備えた音響装置を制御するための制御プログラムにおいて、
前記通信線を介して、前記外部機器に所定形式のデジタル信号を出力させる制御信号を出力させ、
前記外部機器から出力されたデジタル信号に基づくアナログ信号を生成させ、外部に出力させることを特徴とする制御プログラム。
【請求項８】
請求項７記載の制御プログラムを記録したことを特徴とするコンピューター読み取り可能な記録媒体。
【発明の詳細な説明】
【技術分野】
【０００１】
本発明は、音声データを処理する音響装置、その制御方法、制御プログラム及び記録媒体に関する。
【背景技術】
【０００２】
従来、ＣＤ（Compact Disk）再生装置やＭＤ（Mini Disk）再生装置から出力されるＰＣＭ（Pulse Code Modulation）デジタル信号の入力端子を備えた音響機器のセンターユニットが知られている。
【０００３】
これらのセンターユニットは、バス（ＢＵＳ）通信線により外部にＰＣＭデジタル信号を出力する機器が接続されており、センターユニットは初期電源立ち上げ後のシステムチェック時に、接続された外部機器がデジタル接続されているか否かの確認を行う。このとき、デジタル接続の検出が出来た場合には、センターユニットは接続された外部機器がデジタル接続されていると判断し、センターユニットは接続された外部機器から出力されるＰＣＭ信号を、ＤＩＲ（Digital Audio Receiver）、ＤＳＰ（Digital Signal Processor）、ＤＡＣ（Digital Analog Converter）で処理し、出力されてきたＰＣＭデジタル信号をアナログ信号に変換する。
【０００４】
一方、システムチェック時にデジタル接続が検出出来なかった場合には、センターユニットは接続された外部機器がアナログ接続されていると判断し、センターユニットは、接続された外部機器とのバス信号線の音声ラインを通じて、外部機器から出力される音声信号を、ＡＤＣ（Analog Digital Converter）、ＤＳＰ、ＤＡＣで処理し、音声を再生する。
【０００５】
近年、センターユニットに接続可能な外部機器として、ＤＶＤ（Digital Versatile Disk）再生装置等が市場に供給されている。ＤＶＤ再生装置ではＤＶＤに記憶されたDolby Digitalやdts等の非ＰＣＭデジタル信号で記憶された音声データを、そのままの非ＰＣＭデジタル信号で信号出力するか、非ＰＣＭデジタル信号をアナログ信号に変換してから信号出力するか、非ＰＣＭデジタル信号をＰＣＭデジタル信号に変換してから信号出力するかを、ユーザーが切り換えて使用できるものがある。
【０００６】
このようなＤＶＤ再生装置の音声信号出力の切り換えは、リモコンにより行われる。ユーザーがリモコンを操作することによりリモコンコードを送信し、センターユニットのマイコンが受信したリモコンコードは、リモコンコードイメージのコマンドに加工されバス通信線を通してＤＶＤ再生装置に送信される。このリモコンコードイメージのコマンドを受信したＤＶＤ再生装置は、リモコンコードに従って音声信号出力の切り換え設定を行い、その設定項目、設定内容を表示画面に表示し、ユーザーに現在の設定状態を知らせる。
【０００７】
また、非ＰＣＭデジタル信号に対応していないセンターユニットは、非ＰＣＭデジタル信号をデコード出来ない為、ＤＶＤ再生装置から出力された音声信号はノイズとなって再生されてしまう。このように、接続された外部機器から出力されたデジタル信号を正常に再生することができないときに、再生される音声をミュート（消音）する技術が知られている（例えば、特許文献１参照）。
【特許文献１】特開２０００−２２２８２８号公報
【発明の開示】
【発明が解決しようとする課題】
【０００８】
しかしながら、上記従来の構成技術にあっては、音声が消音されることにより、ユーザーは音声を聞くことができなくなり、音声を聞くには、ユーザー自身がリモコンや操作部を操作し、外部機器が出力する音声信号の方式を切り換える必要があった。
【０００９】
本発明は、上述した事情に鑑みてなされたものであり、接続された外部機器がデジタル接続されたときに、外部機器が出力する音声信号の方式を、ユーザーが操作することなく対応可能な所定の音声信号の方式に切り換えることのできる音響装置を提供することを目的としている。
【課題を解決するための手段】
【００１０】
本発明は、外部機器を制御する制御信号を出力可能な制御部を備え、複数形式のデジタル信号を出力可能な外部機器からデジタル入力端子を介して、入力されたデジタル信号をアナログ信号に変換する信号変換部を備えた音響装置において、前記制御部は前記外部機器と通信線を介して接続され、前記通信線を介して、前記外部機器に所定形式のデジタル信号を出力させるべく、前記制御信号を出力し、前記信号変換部は前記外部機器から出力されたデジタル信号に基づくアナログ信号を生成し、外部に出力することを特徴とする。
【００１１】
この場合において、前記制御部は、前記外部機器から入力される信号の信号形式を判断し、入力されたデジタル信号が、前記信号変換部が対応しない非対応信号形式であると判断したときに、前記制御部が前記外部機器に対して、前記信号変換部が対応する所定の信号形式のデジタル信号を出力させるべく、前記制御信号を出力してもよい。前記制御部は、前記外部機器から信号が入力されてから所定の時間、前記外部機器から入力される信号の信号形式を判断してもよい。アナログ入力端子を有し、前記制御部は、前記外部機器からデジタル信号が入力されないときに、前記アナログ入力端子を介したアナログ信号入力に切り換えてもよい。前記所定の信号形式は、ＰＣＭデジタル信号であってもよい。
【００１２】
また、本発明は、外部機器と通信線を介して接続され、前記外部機器を制御する制御信号を出力可能な制御部を備え、複数形式のデジタル信号を出力可能な外部機器からデジタル入力端子を介して、入力されたデジタル信号をアナログ信号に変換する信号変換部を備えた音響装置を制御する制御方法において、前記通信線を介して、前記外部機器に所定形式のデジタル信号を出力させる制御信号を出力する過程と、前記外部機器から出力されたデジタル信号に基づくアナログ信号を生成し、外部に出力する過程と、を備えたことを特徴とする。
【００１３】
また、本発明は、外部機器と通信線を介して接続され、前記外部機器を制御する制御信号を出力可能な制御部を備え、複数形式のデジタル信号を出力可能な外部機器からデジタル入力端子を介して、入力されたデジタル信号をアナログ信号に変換する信号変換部を備えた音響装置を制御するための制御プログラムにおいて、前記通信線を介して、前記外部機器に所定形式のデジタル信号を出力させる制御信号を出力させ、前記外部機器から出力されたデジタル信号に基づくアナログ信号を生成させ、外部に出力させることを特徴とする。
【００１４】
また、本発明は、コンピューター読み取り可能な記録媒体において、前記制御プログラムを記録したことを特徴とする。
【発明の効果】
【００１５】
本発明によれば、接続された外部機器がデジタル接続されたときに、外部機器が出力する音声信号の方式を、ユーザーが操作することなく対応可能な所定の音声信号の方式に切り換えることができる。
【発明を実施するための最良の形態】
【００１６】
以下、図面を参照しつつ本発明の実施の形態について説明する。
図１は、本実施形態に係る音響装置１００の主要構成を示すブロック図である。また、図２はＤＶＤ外部機器１０の主要構成を示すブロック図であり、図３はセンターユニット５０の主要構成を示すブロック図である。
この音響装置１００は、自動車等の車両に搭載される車載用音響装置であり、センターユニット５０、ＤＶＤ外部機器１０、ＴＶモニター２０、パワーアンプ３０、スピーカー４０により構成される。
【００１７】
センターユニット５０は音響装置１００の中心となる装置で、ＤＶＤ外部機器１０から出力されてきた音声信号を処理し、処理した音声信号をパワーアンプ３０へ出力したり、ユーザーとのインターフェースとして機能したり、音響装置１００全体の制御したりする。
ＤＶＤ外部機器１０はＤＶＤの再生装置であり、バス通信ケーブル及びデジタル音声ケーブルによりセンターユニット５０に接続され、映像信号ケーブルによりＴＶモニター２０に接続されている。
パワーアンプ３０は増幅器であり、スピーカー４０は音声信号を音に変える音声出力部ある。パワーアンプ３０は、センターユニット５０からＲＣＡ音声ケーブルを介して出力されてきた音声信号を増幅し、接続されたスピーカー４０を介して外部に音声信号に基づく音声を出力する。
【００１８】
図２に示すようにＤＶＤ外部機器１０は、ＤＶＤマイコン１１、ＤＶＤメカ１２、バックエンド１３、ＤＶＤセレクター１４、ＤＶＤＤＡＣ１５により構成されている。
ＤＶＤマイコン１１は制御部であり、ＣＰＵ（図示せず）、ＣＰＵが実行する制御プログラムを格納するＲＯＭ（図示せず）、各種データを一時的に格納するＲＡＭ（図示せず）等を備え、ＤＶＤメカ１２、バックエンド１３、ＤＶＤセレクター１４、ＤＶＤＤＡＣ１５に命令を行い、ＤＶＤ外部機器１０全体を制御するコンピューターとして機能する。
ＤＶＤ外部機器１０は、ＤＶＤバス通信端子１６及びバス通信ケーブルを介してセンターユニット５０とバス通信を行っており、ＤＶＤマイコン１１は、センターユニット５０に接続要求を行ったり、デジタル接続確認コマンド、音声出力の切り換え要求を受けたりする。
【００１９】
ＤＶＤメカ１２は再生の対象となるＤＶＤの再生装置であり、映像信号端子１９を介してＴＶモニター２０に接続されて折り、ＤＶＤから取り出した映像信号を映像信号ケーブルによりＴＶモニター２０へ出力し、また、ＤＶＤから取り出した音声信号を非ＰＣＭデジタル信号のままバックエンド１３へ出力する。
バックエンド１３は非ＰＣＭデジタル信号を２ｃｈ（Channel）のＰＣＭデジタル信号に変換する回路であり、ＤＶＤメカ１２から出力された非ＰＣＭデジタル信号をＰＣＭデジタル信号に変換し、ＤＶＤセレクター１４へ出力したり、非ＰＣＭデジタル信号をそのままＤＶＤセレクター１４へ出力したりする。
【００２０】
ＤＶＤセレクター１４は信号接続切換部であり、バックエンド１３から出力されてきた非ＰＣＭデジタル信号やＰＣＭデジタル信号を、ＤＶＤＤＡＣ１５へ出力するか、デジタル音声出力端子１８及びデジタル音声ケーブルを介してセンターユニット５０へ出力するかを選択する。ＤＶＤセレクター１４は、ＤＶＤマイコン１１の指示に基づいてバックエンド１３から出力されてきたデジタル信号の出力先を選択する。
【００２１】
ＤＶＤＤＡＣ１５はデジタル信号をアナログ信号に変換する回路であり、ＤＶＤセレクター１４から出力されたＰＣＭデジタル信号を２ｃｈ（Channel）のアナログ信号に変換し、このアナログ信号をバス音声出力端子１７及びバス通信ケーブルを介してセンターユニット５０へ出力する。
【００２２】
図３に示すセンターユニット５０は、センターユニットマイコン５１、ラジオチューナー５２、ＡＤＣ５３、ＣＤメカ５４、ＤＩＲ５５、センターユニットセレクター５６、ＤＳＰ５７、ＤＡＣ５８、電子ボリューム（EVOL：Electric Volume）５９、ミュート部６０、リモコン受光部６１、表示部６２、キー６３により構成されている。
ラジオチューナー５２はラジオの受信部であり、受信したラジオ放送電波に基づくアナログ信号はＡＤＣ５３へと送られる。
【００２３】
ＡＤＣ５３はアナログ信号をデジタル信号に変換する信号変換回路であり、ＤＶＤ外部機器１０のバス音声出力端子１７からバス通信ケーブル及びバス音声入力端子６５を介して出力されてきたアナログ信号を、ＰＣＭデジタル信号に変換してからセンターユニットセレクター５６へ出力する。
ＣＤメカ５４はＣＤの再生装置であり、ＣＤから取り込んだ音声データをＤＩＲ５５へ出力する。
【００２４】
ＤＩＲ５５はＤＶＤ外部機器１０のデジタル音声出力端子１８からデジタル音声ケーブル及びデジタル音声入力端子６６を介して出力されてきたデジタル信号や、ＣＤメカ５４から出力されてきたデジタル信号の形式を判断する信号形式判断部である。ＤＩＲ５５は、出力されてきたデジタル信号がＰＣＭデジタル信号であるか否かを判断し、判断結果をセンターユニットマイコン５１に出力する。ＤＩＲ５５に出力されてきたデジタル信号はセンターユニットセレクター５６へ出力される。
【００２５】
センターユニットマイコン５１は制御部として機能しており、ＣＰＵ（図示せず）、ＣＰＵが実行する制御プログラムを格納するＲＯＭ（図示せず）、各種データを一時的に格納するＲＡＭ（図示せず）等を備え、センターユニット５０を構成する各装置に命令を行い、センターユニット５０全体を制御する。
センターユニットマイコン５１はセンターユニットバス通信端子６４及びバス通信ケーブルを介してＤＶＤ外部機器１０とバス通信を行っており、デジタル接続確認コマンド、音声出力の切換要求を行ったり、接続要求を受けたりする。
【００２６】
リモコン受光部６１はユーザーが音響装置１００を操作するためのリモコン（図示せず）の赤外線受光部であり、リモコン受光部６１で受信したリモコンコードはセンターユニットマイコン５１に伝えられる。センターユニット５０で受信したリモコンコードは、リモコンコードイメージのコマンドに加工され、センターユニットバス通信端子６４及びバス通信ケーブルを介してＤＶＤ外部機器１０へも出力され、ＤＶＤ外部機器１０のＤＶＤセレクター１４による音声出力の切り換え等もリモコンにより操作される。
表示部６２はセンターユニットマイコン５１から出力されてきた信号に基づいて文字等を表示する部分であり、センターユニット５０の運転状況等を表示する。
キー６３はユーザーが音響装置１００を操作するための操作部であり、ユーザーがキー６３を操作することにより音響装置１００が操作される。
【００２７】
センターユニットセレクター５６は信号接続切換部であり、ＡＤＣ５３及びＤＩＲ５５から出力されてきたＰＣＭデジタル信号から、いずれかの音声信号を選択する。センターユニットセレクター５６は、選択した音声信号をＤＳＰ５７へと出力する。
ＤＳＰ５７は音声信号の処理に特化したマイクロプロセッサーであり、センターユニットセレクター５６から出力されてきたデジタル信号をデジタル的に処理し、処理後のデジタル信号をＤＡＣ５８へ出力する。
ＤＡＣ５８はデジタル信号をアナログ信号に変換する信号変換回路であり、ＤＳＰ５７から出力されてきたデジタル信号をアナログ信号に変換し、変換後のアナログ信号を電子ボリューム５９へ出力する。
【００２８】
電子ボリューム５９は音量を調節する音量調整部であり、ＤＡＣ５８から出力されてきたアナログ信号の音量を調節し、音量が調節されたアナログ信号をミュート部６０へ出力する。
ミュート部６０は音を消す消音部であり、通常は、電子ボリューム５９から出力されてきたアナログ信号をそのままの状態でＲＣＡ音声出力端子６７から出力するが、センターユニットマイコン５１から消音するように指示があった場合には、電子ボリューム５９から出力されてきたアナログ信号を消音する。ミュート部６０から出力されたアナログ信号は、ＲＣＡ音声出力端子６７及びＲＣＡ音声ケーブルを介してパワーアンプ３０へ出力される。
【００２９】
図４は、センターユニット５０にＤＶＤ外部機器１０が接続され、ＤＶＤから取り出した音声信号に基づく音声を再生する際の、音響装置１００の動作を示すフローチャートである。
センターユニット５０の制御部であるセンターユニットマイコン５１は先ず、バス通信により、外部機器からの接続要求があるか否かを判断する（ステップＳ１）。
【００３０】
ステップＳ１において、センターユニットマイコン５１は、外部機器からの接続要求がないと判断すると（ステップＳ１：ＮＯ）、センターユニット５０に外部機器が接続されていないと認識し、処理を終了する。
【００３１】
一方、センターユニット５０にＤＶＤ外部機器１０が接続されており、ステップＳ１において、センターユニットマイコン５１は、外部機器からの接続要求があると判断すると（ステップＳ１：ＹＥＳ）、バス信号により、ＤＶＤ外部機器１０に対して、デジタル接続確認コマンドを発行する（ステップＳ２）。このとき、センターユニットマイコン５１からデジタル接続確認コマンドが発行されたＤＶＤ外部機器１０は、ＤＶＤメカ１２においてＤＶＤから取り込んだ音声信号であるデジタル信号を出力する。
【００３２】
ステップＳ２において、センターユニットマイコン５１は、ＤＶＤ外部機器１０に対して、デジタル接続コマンドを発行すると、デジタル信号確認タイマーに設けられたデジタル信号確認のタイムアウト時間として、タイマーカウント値Ｔ＝４００msecにセットし、カウントダウンを開始する（ステップＳ３）。センターユニットマイコン５１は、デジタル信号確認タイマーのタイマーカウント値Ｔが「０」になると、タイムアウト時間が経過したと判断する。
【００３３】
次に、センターユニットマイコン５１は、デジタル信号確認タイマーのタイマーカウント値Ｔが「０」であるか否かを判断する（ステップＳ４）。
【００３４】
ステップＳ４において、センターユニットマイコン５１は、デジタル信号確認タイマーのタイマーカウント値Ｔが「０」ではないと判断すると（ステップＳ４：Ｔ≠０）、デジタル信号タイマーのタイマーカウント値Ｔの値から「１」を減じた値（Ｔ−１）を新たなタイマーカウント値Ｔとしてカウントダウンを継続する（ステップＳ５）。
【００３５】
次に、センターユニットマイコン５１は、ＤＶＤ外部機器１０からのデジタル信号が入力されているか否かを判断する（ステップＳ６）。このとき、センターユニット５０がＤＶＤ外部機器１０とデジタル音声ケーブルにより接続され、ＤＶＤ外部機器１０からデジタル信号が入力されているか否かは、ＤＩＲ５５からセンターユニットマイコン５１へ出力されてくる情報から判断される。
【００３６】
ステップＳ６において、センターユニットマイコン５１は、ＤＶＤ外部機器１０からデジタル信号が入力されていないと判断すると（ステップＳ６：ＮＯ）、ステップＳ４へ戻り、一連の処理を繰り返す。
【００３７】
一方、ステップＳ６において、センターユニットマイコン５１は、ＤＶＤ外部機器１０からデジタル信号が入力されていると判断すると（ステップＳ６：ＹＥＳ）、ＤＶＤ外部機器１０はデジタル信号を出力するデジタルソースであると認識する（ステップＳ７）。
【００３８】
続いて、センターユニットマイコン５１は、バス通信ケーブルを介したバス通信により、ＤＶＤ外部機器１０に対して音声出力をＰＣＭデジタル信号に切り換える旨の要求を発行する（ステップＳ８）。
【００３９】
センターユニットマイコン５１は、ＤＶＤ外部機器１０の制御部であるＤＶＤマイコン１１は、ＤＶＤ外部機器１０の音声出力をＰＣＭデジタル信号に切り換える（ステップＳ９）。このとき、バックエンド１３で非ＰＣＭデジタル信号から変換したＰＣＭデジタル信号は、デジタル音声出力端子１８及びデジタル音声ケーブルを介してセンターユニット５０に出力される。
【００４０】
次に、センターユニット５０の制御部であるセンターユニットマイコン５１は、ＤＩＲ５５、センターユニットセレクター５６をデジタル音声入力側に切り換える（ステップＳ１０）。これにより、ＤＶＤ外部機器１０から出力されてきたＰＣＭデジタル信号がセンターユニット５０で処理され、パワーアンプ３０で増幅された後、スピーカー４０から音声が外部に出力される。
【００４１】
また、ステップＳ４において、センターユニットマイコン５１は、デジタル信号確認タイマーのタイマーカウント値Ｔが「０」であると判断すると（ステップＳ４：Ｔ＝０）、ＤＶＤ外部機器１０はアナログ信号を出力するアナログソースであると認識する（ステップＳ１１）。
【００４２】
さらに、センターユニットマイコン５１は、バス通信ケーブルを介したバス通信により、ＤＶＤ外部機器１０に対して、音声出力をアナログ信号に切り換える旨の要求を発行する（ステップＳ１２）。
【００４３】
そして、センターユニットマイコン５１は、ＤＶＤ外部機器１０の制御部であるＤＶＤマイコン１１は、ＤＶＤ外部機器１０の音声出力をアナログ信号に切り換える（ステップＳ１３）。このとき、ＤＶＤから取り出された非ＰＣＭデジタル信号は、バックエンド１３でＰＣＭデジタル信号に変換され、ＤＶＤＤＡＣ１５でアナログ信号に変換された後に、バス音声出力端子１７からセンターユニット５０へ出力される。
【００４４】
さらに、センターユニット５０の制御部であるセンターユニットマイコン５１は、ＡＤＣ５３、センターユニットセレクター５６をバス音声入力側に切り換える（ステップＳ１４）。これにより、ＤＶＤ外部機器１０から出力されてきたアナログ信号がセンターユニット５０で処理され、パワーアンプ３０で増幅された後、スピーカー４０から音声が外部に出力される。
【００４５】
以上の説明のように、本実施形態によれば、センターユニット５０にＤＶＤ外部機器１０を接続し、ＤＶＤ外部機器１０からセンターユニット５０へデジタル信号が出力され、出力されたデジタル信号にセンターユニット５０が対応している所定のデジタル信号ではない場合に、センターユニット５０はＤＶＤ外部機器１０の出力信号を、センターユニット５０が対応している所定のデジタル信号に切り換えさせるので、ＤＶＤ外部機器１０の出力信号を処理し、パワーアンプ３０で増幅された後、スピーカー４０から音声を外部に出力することができる。よって、ユーザーはＤＶＤ外部機器１０の出力信号の切り換え操作を行う必要がない。
【００４６】
以上、一実施形態に基づいて本発明を説明したが、本発明は、これに限定されるものではない。例えば、本実施形態ではセンターユニット５０が対応しているデジタル信号をＰＣＭデジタル信号としているが、これに限らず、デジタル信号であればその他の方式のデジタル信号でもよい。
【図面の簡単な説明】
【００４７】
【図１】本実施形態に係る音響装置を示すブロック図である。
【図２】ＤＶＤ外部機器の主要構成を示すブロック図である。
【図３】センターユニットの主要構成を示すブロック図である。
【図４】ＤＶＤから取り出した音声信号に基づく音声を再生する際の、音響装置の動作を示すフローチャートである。
【符号の説明】
【００４８】
１０  ＤＶＤ外部機器（外部機器）
５１  センターユニットマイコン（制御部）
５８  ＤＡＣ（信号変換部）
６５  バス音声入力端子（アナログ入力端子）
６６  デジタル音声入力端子（デジタル入力端子）
【図１】
2006279215.tif 000003
【図２】
2006279215.tif 000004
【図３】
2006279215.tif 000005
【図４】
2006279215.tif 000006